(57)【要約】  本発明は、コネクタにフラットケーブルが誤挿入される場合に発生し得る短絡現象を防止する機能が改善されたフラットケーブルに関する。本発明の一実施形態によるフラットケーブルは、一方向に長く延びた形態で構成され、外部コネクタに前端が挿入接続されるフラットケーブルであって、フラットケーブルの長手方向に沿って長く延びた形態で構成され、フラットケーブルの幅方向に所定の距離で離隔して複数個が配列された導体と、絶縁性材質からなり、フラットケーブルの長手方向に沿って長く延びた形態で構成され、導体が少なくとも一面に取り付けられたケーブル本体とを含む。
2020518109.tif 000002
【特許請求の範囲】
【請求項１】
一方向に長く延びた形態で構成され、外部コネクタに前端が挿入接続されるフラットケーブルであって、
電気伝導性材質からなり、前記フラットケーブルの長手方向に沿って長く延びた形態で構成され、前記フラットケーブルの幅方向に所定の距離で離隔して複数個が配列された導体と、
絶縁性材質からなり、前記フラットケーブルの長手方向に沿って長く延びた形態で構成され、前記導体が少なくとも一面に取り付けられ、前記導体の一端から外側に突出するように構成された突出部を備えるケーブル挿入部が端部に備えられたケーブル本体とを含む、フラットケーブル。
【請求項２】
前記突出部は、前記導体の一端の延長線と前記突出部の一端の延長線との間に所定の間隔が形成されるように、前記導体の一端から前記間隔だけ外側に突出するように構成された、請求項１に記載のフラットケーブル。
【請求項３】
前記ケーブル挿入部は、前記突出部を複数個備える、請求項１または２に記載のフラットケーブル。
【請求項４】
前記突出部は、前記ケーブル挿入部の幅方向の両端に位置するように備えられた、請求項３に記載のフラットケーブル。
【請求項５】
前記突出部は、直方体状を有するように構成された請求項１から４のうちいずれか一項に記載のフラットケーブル。
【請求項６】
前記ケーブル挿入部は、前記ケーブル挿入部の両側部から内側に凹設された一つ以上の固定部をさらに備える、請求項１から５のうちいずれか一項に記載のフラットケーブル。
【請求項７】
前記ケーブル挿入部は、前記突出部の少なくとも一部表面に備えられて前記突出部の剛性を補強するように構成された補強部をさらに備える、請求項１から６のうちいずれか一項に記載のフラットケーブル。
【請求項８】
前記突出部は、突出高さが、前記外部コネクタが備えられた回路基板に連結されたリードの高さよりも高く形成された、請求項１から７のうちいずれか一項に記載のフラットケーブル。
【請求項９】
請求項１から８のうちいずれか一項に記載のフラットケーブルを含む、バッテリーパック。
【発明の詳細な説明】
【技術分野】
【０００１】
本発明は、短絡防止機能が改善されたフラットケーブル（ｆｌａｔ ｃａｂｌｅ）に関し、より詳しくは、コネクタにフラットケーブルが誤挿入される場合に発生し得る短絡現象を防止する機能が改善されたフラットケーブルに関する。
【０００２】
本出願は、２０１８年１月２５日出願の韓国特許出願第１０−２０１８−０００９４９４号に基づく優先権を主張し、上記出願の明細書及び図面に開示された内容は、すべて本出願に組み込まれる。
【背景技術】
【０００３】
近年、ノートパソコン、ビデオカメラ、携帯電話などのような携帯用電子製品の需要が急激に伸び、電気自動車、エネルギー貯蔵用蓄電池、ロボット、衛星などの開発が本格化するにつれて、繰り返して充放電可能な高性能二次電池に対する研究が活発に行われている。
【０００４】
現在、ニッケルカドミウム電池、ニッケル水素電池、ニッケル亜鉛電池、リチウム二次電池などの二次電池が商用化しているが、中でもリチウム二次電池はニッケル系列の二次電池に比べてメモリ効果が殆ど起きず充放電が自在であり、自己放電率が非常に低くてエネルギー密度が高いという長所から脚光を浴びている。
【０００５】
バッテリーは多様な分野で用いられるが、電気駆動車両またはスマートグリッドシステムのように大きい容量を要する用途で使用される場合が多い。バッテリーパックの容量を増加させるためには、二次電池、すなわちバッテリーセル自体の容量を増加させる方法があり得るが、この場合、容量増大の効果が大きくなく、二次電池の大きさの拡張に物理的な制限があり、管理が不便であるという短所を有する。したがって、通常、複数のバッテリーモジュールを直列及び並列で連結したバッテリーパックが広く用いられる。
【０００６】
このようなバッテリーパックには、バッテリーパック内部の各種の部品の中継ケーブルとしてフラットケーブルが使用される場合が多い。例えば、フラットケーブルは、ＢＭＳ（Ｂａｔｔｅｒｙ Ｍａｎａｇｅｍｅｎｔ Ｓｙｓｔｅｍ）内部の各種の部品間の中継ケーブルとして使用され得る。または、フラットケーブルは、ＢＭＳとセルアセンブリとの間の中継ケーブルとしても使用され得る。この場合、フラットケーブルは、セルアセンブリの内部に含まれた各二次電池の電圧値、電流値または温度値などをセルアセンブリからＢＭＳに伝達することができる。フラットケーブルとしては、いわゆるラミネート技法を用いて製造されるフレキシブルフラットケーブル（Ｆｌｅｘｉｂｌｅ Ｆｌａｔ Ｃａｂｌｅ：ＦＦＣ）がバッテリーパックの内部に備えられ得る。
【０００７】
図１は、従来のフラットケーブルの構成を概略的に示した斜視図である。
【０００８】
図１を参照すれば、一般に従来のフラットケーブルは、一方向に長く延びた形態で構成される。例えば、図１を基準にして、フラットケーブルはｙ軸方向に長く延びた形態で構成され得る。
【０００９】
このようなフラットケーブルは、複数の導体１０を所定の間隔で平行に配列した状態で、複数の導体１０を所定の接着層が設けられた絶縁性部材によって一側または両側でラミネート加工して構成したケーブル本体２０を備える。
【００１０】
また、フラットケーブルは、絶縁性材質から構成されたケーブル本体２０の少なくとも一面に複数の導体１０を備えることができる。例えば、図１に示されたように、フラットケーブルは、ケーブル本体２０のｚ軸方向の上面に複数の導体１０を備える。ここで、フラットケーブルは、軟性材質から構成され得る。例えば、フラットケーブルは、フレキシブルフラットケーブルであり得る。
【００１１】
このようなフラットケーブルは、絶縁性材質からなり、複数の導体１０及びケーブル本体２０のそれぞれの表面を覆うように構成されたシールド材３０を備える。ここで、シールド材３０がフラットケーブルに備えられる場合、フラットケーブルの前端側の一部表面にはシールド材３０が備えられない。すなわち、フラットケーブルの前方の一部表面で複数の導体１０及びケーブル本体２０が露出し得る。例えば、図１を基準にして、フラットケーブルのｙ軸方向の端部である前端部でｚ軸方向に導体が露出したフラットケーブルの一部をケーブル挿入部２１と称する。そして、シールド材３０が備えられて導体がｚ軸方向に露出していない部分をケーブルシールド部２２と称し得る。フラットケーブルの全体構成では、長手方向の端部を除いて、このようなケーブルシールド部２２が殆どを占めると言える。
【００１２】
一般にフラットケーブルは、回路基板などのコネクタに前端、すなわち、ケーブル挿入部２１が挿入され接続される。しかし、このようにケーブル挿入部２１がコネクタに正確に挿入されず誤挿入されれば、問題が生じ得る。これについて、図２及び図３を参照して具体的に説明する。
【００１３】
図２は従来のフラットケーブルがコネクタに誤挿入される場合の一例を示した図であり、図３は従来のフラットケーブルがコネクタに誤挿入された状態でフラットケーブルと回路基板に連結されたコネクタリードとが短絡する様子を示した図である。
【００１４】
より具体的に、フラットケーブルは、フラットケーブルの前端部が回路基板５０に備えられたコネクタ５１に挿入されるように提供される。例えば、図２を基準にして、フラットケーブルは、ケーブル挿入部２１が図２に示された矢印Ｃ１の方向にコネクタ５１に正確に挿入されなければならない。
【００１５】
しかし、図２に示されたように、フラットケーブルがコネクタ５１に誤挿入される場合、フラットケーブルに備えられた導体１０の前端がコネクタ５１のリード５２に接触し得る。ここで、リード５２は、電気伝導性材質からなって電流を流すことができる。
【００１６】
図３を一緒に参照すれば、フラットケーブルがコネクタ５１に正常挿入されず誤挿入される場合、非正常的な電気通路が形成される短絡現象が発生する。すなわち、電気伝導性材質からなるリード５２と導体１０とが電気的に直接接触して短絡現象が発生することになる。そして、場合によっては、過電流によってバッテリーパック内部の部品が破損される。例えば、図３を基準にして、フラットケーブルが誤挿入される場合、矢印Ｃ２で示された部分でリード５２と導体１０とが電気的に直接接触し得る。
【発明の概要】
【発明が解決しようとする課題】
【００１７】
本発明は、上記問題点に鑑みてなされたものであり、コネクタにフラットケーブルが誤挿入される場合に発生し得る短絡現象を防止してフラットケーブルの安全性を向上させる、改善されたフラットケーブルを提供することを目的とする。
【００１８】
本発明の他の目的及び長所は、下記の説明によって理解でき、本発明の実施形態によってより明らかに分かるであろう。また、本発明の目的及び長所は、特許請求の範囲に示される手段及びその組合せによって実現することができる。
【課題を解決するための手段】
【００１９】
本発明の一態様によるフラットケーブルは、一方向に長く延びた形態で構成され、外部コネクタに前端が挿入接続されるフラットケーブルであって、電気伝導性材質からなり、フラットケーブルの長手方向に沿って長く延びた形態で構成され、フラットケーブルの幅方向に所定の距離で離隔して複数個が配列された導体と、絶縁性材質からなり、フラットケーブルの長手方向に沿って長く延びた形態で構成され、導体が少なくとも一面に取り付けられ、導体の一端から外側に突出するように構成された突出部を備えるケーブル挿入部が端部に備えられたケーブル本体とを含む。
【００２０】
突出部は、導体の一端の延長線と突出部の一端の延長線との間に所定の間隔が形成されるように、導体の一端から間隔だけ外側に突出するように構成され得る。
【００２１】
ケーブル挿入部は、突出部を複数個備え得る。
【００２２】
突出部は、ケーブル挿入部の幅方向の両端に位置するように備えられ得る。
【００２３】
突出部は、直方体状を有するように構成され得る。
【００２４】
ケーブル挿入部は、ケーブル挿入部の両側部から内側に凹設された一つ以上の固定部をさらに備え得る。
【００２５】
ケーブル挿入部は、突出部の少なくとも一部表面に備えられて突出部の剛性を補強するように構成された補強部をさらに備え得る。
【００２６】
突出部は、突出高さが回路基板に連結されたリードの高さよりも高く形成され得る。
【００２７】
本発明の他の態様によるバッテリーパックは、本発明によるフラットケーブルを含む。
【発明の効果】
【００２８】
本発明の一実施形態によれば、フラットケーブルを回路基板などのコネクタに嵌め込む過程でフラットケーブルの端部が誤挿入されても、コネクタのリードとフラットケーブルに備えられた導体とが電気的に直接接触しないようにすることができる。
【００２９】
また、本発明の一実施形態によれば、フラットケーブルがコネクタに誤挿入されても、コネクタのリードとフラットケーブルに備えられた導体との間に所定の間隔を形成することで、コネクタにフラットケーブルが誤挿入される場合に発生し得る短絡現象を防止して、フラットケーブルの安全性を向上させることができる。
【００３０】
外にも本発明は他の多様な効果を有し、このような本発明の他の効果は下記の説明によって理解でき、本発明の実施形態によってより明確に理解されるであろう。
【００３１】
本明細書に添付される次の図面は、本発明の望ましい実施形態を例示するものであり、発明の詳細な説明とともに本発明の技術的な思想をさらに理解させる役割をするため、本発明は図面に記載された事項だけに限定されて解釈されてはならない。
【図面の簡単な説明】
【００３２】
【図１】従来のフラットケーブルの構成を概略的に示した斜視図である。
【図２】従来のフラットケーブルがコネクタに誤挿入される場合の一例を示した図である。
【図３】従来のフラットケーブルがコネクタに誤挿入された状態でフラットケーブルと回路基板に連結されたコネクタリードとが短絡する様子を示した図である。
【図４】本発明の一実施形態によるフラットケーブルの構成を概略的に示した斜視図である。
【図５】本発明の他の実施形態によるフラットケーブルの構成を概略的に示した斜視図である。
【図６】本発明のさらに他の実施形態によるフラットケーブルの構成を概略的に示した斜視図である。
【図７】図６のａ−ａ'線に沿った断面図である。
【図８】図６のｂ−ｂ'線に沿った断面図である。
【図９】本発明のさらに他の実施形態によるフラットケーブルに補強部が備えられる構成を概略的に示した斜視図である。
【図１０】本発明のさらに他の実施形態によるフラットケーブルに補強部が備えられる構成を概略的に示した斜視図である。
【図１１】本発明の一実施形態によるフラットケーブルがコネクタに誤挿入された状態でフラットケーブルの前端部と回路基板とが接触した構成を概略的に示した図である。
【発明を実施するための形態】
【００３３】
以下、添付された図面を参照して本発明の望ましい実施形態を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００３４】
したがって、本明細書に記載された実施形態及び図面に示された構成は、本発明のもっとも望ましい一実施形態に過ぎず、本発明の技術的な思想のすべてを代弁するものではないため、本出願の時点においてこれらに代替できる多様な均等物及び変形例があり得ることを理解せねばならない。
【００３５】
また、本発明の説明において、関連公知構成または機能についての具体的な説明が本発明の要旨を不明瞭にし得る場合はその詳細な説明を省略する。
【００３６】
明細書の全体において、ある部分がある構成要素を「含む」とするとき、これは特に言及されない限り、他の構成要素を除外するものではなく、他の構成要素をさらに含み得ることを意味する。
【００３７】
図４は、本発明の一実施形態によるフラットケーブルの構成を概略的に示した斜視図である。
【００３８】
図４を参照すれば、本発明によるフラットケーブルは、導体１００及びケーブル本体２００を含むことができる。
【００３９】
ここで、フラットケーブルは、一方向に長く延びた形態で構成される。例えば、図４を基準にして、フラットケーブルは長手方向（＋ｙ軸方向）に長く延びた形態で構成され得る。
【００４０】
そして、このようなフラットケーブルは、外部コネクタに前端が挿入接続される。より具体的に、フラットケーブルは、回路基板に備えられたコネクタに前端部（図４の＋ｙ軸方向の端部）が挿入接続される。ここで、回路基板は、図２に示されたように、コネクタを備えて、コネクタと回路基板とはリードを通じて電気的に連結される。例えば、本発明によるフラットケーブルは、フレキシブルフラットケーブルとして具現され得る。
【００４１】
導体１００は、電気伝導性材質から構成される。例えば、導体１００は、金、銀、銅、鉛またはアルミニウムなどの導電性金属から構成され得る。
【００４２】
また、導体１００は、図４に示されたように、フラットケーブルの長手方向に沿って長く延びた形態で構成される。ここで、長手方向とは、フラットケーブルがコネクタに挿入される方向（図４の＋ｙ軸方向）を意味する。
【００４３】
また、導体１００は、フラットケーブルの幅方向に所定の距離で離隔して複数個が配列される。ここで、幅方向とは、長手方向と直交する方向（図４のｘ軸方向）を意味する。ここで、複数の導体１００は、所定の間隔で平行に配列される。
【００４４】
ケーブル本体２００は、電気的絶縁性材質から構成される。例えば、ケーブル本体２００は、ポリプロピレン（ＰＰ）、ポリエチレン（ＰＥ）またはポリ塩化ビニル（ＰＶＣ）などのようなポリマー材質から構成され得る。
【００４５】
また、ケーブル本体２００は、長手方向（図４のｙ軸方向）に沿って長く延びる形態で構成される。特に、ケーブル本体２００は、フラットケーブルの一端から他端まで長く延びた形態で構成され得る。
【００４６】
また、ケーブル本体２００は、導体１００が少なくとも一面に取り付けられる。例えば、ケーブル本体２００は、図４に示されたように、導体１００が上面に取り付けられ得る。または、図示していないが、ケーブル本体２００には導体１００が両面に取り付けられてもよい。
【００４７】
このようなケーブル本体２００は、複数の導体１００を所定の間隔で平行に配列した状態で、複数の導体１００を所定の接着層が設けられた絶縁性部材によって一側または両側でラミネート加工して製造される。例えば、絶縁性部材には、所定の絶縁性接着層が備えられ得る。ここで、絶縁性接着層は、絶縁性部材の上面に備えられ得る。また、絶縁性接着層は、エポキシ樹脂、アクリル樹脂、メラミン樹脂、ポリアミド樹脂またはポリイミド樹脂などをバインダー樹脂として用いた接着層であり得る。ただし、本発明はこれらに限定されず、ラミネート加工の外に多様な加工法を用いてケーブル本体２００に複数の導体１００が備えられ得る。
【００４８】
また、本発明によるフラットケーブルは、シールド材３００をさらに含む。シールド材３００は、絶縁性材質からなり、複数の導体１００及びケーブル本体２００のそれぞれの表面を覆う形態で構成される。ここで、シールド材３００がフラットケーブルに備えられる場合、フラットケーブルの前端側の一部表面にはシールド材３００が備えられないこともある。すなわち、フラットケーブルの前端側（図４の＋ｙ軸方向）の一部表面で複数の導体１００及びケーブル本体２００が露出し得る。
【００４９】
ここで、図４を基準にして、フラットケーブルの前端部（＋ｙ軸方向の端部）で＋ｚ軸方向に導体１００が露出したフラットケーブルの一部をケーブル挿入部２１０と称し得る。そして、シールド材３００が備えられて導体１００が＋ｚ軸方向に露出しない部分をケーブルシールド部２２０と称し得る。フラットケーブルの全体構成において、長手方向の端部を除いては、このようなケーブルシールド部２２０が殆どを占めると言える。したがって、本発明によるフラットケーブルのケーブル本体２００は、ケーブル挿入部２１０及びケーブルシールド部２２０を含むと言える。
【００５０】
ケーブル挿入部２１０は、絶縁性材質からなり、導体１００が少なくとも一面に取り付けられる。さらに、ケーブル挿入部２１０は、シールド材３００が備えられず、導体１００の少なくとも一部が外部に露出する形態で構成される。例えば、図４に示されたように、ケーブル挿入部２１０は、シールド材３００がケーブル本体２００及び導体１００の上面に備えられないため、導体１００が上方（＋ｚ軸方向）に露出するように構成される。一方、ケーブルシールド部２２０には、ケーブル本体２００及び導体１００の上面にシールド材３００が備えられている。したがって、導体１００がシールド材３００によって覆われて上方に露出しない。ただし、図面では説明の便宜上、導体１００の一部分を点線で示すことにする。
【００５１】
このようなケーブル挿入部２１０は、回路基板などのコネクタに挿入されるための構成であるため、ケーブル本体２００の前方側に備えられる。例えば、ケーブル挿入部２１０は、ケーブル本体２００の前方側（図４の＋ｙ軸方向）に位置し得る。
【００５２】
特に、本発明によるフラットケーブルにおいて、ケーブル本体２００のケーブル挿入部２１０は突出部２１３を備える。突出部２１３は、導体１００の一端から外側に突出するように構成され得る。
【００５３】
さらに、突出部２１３は、導体１００の一端からフラットケーブルの長手方向の外側に突出するように構成される。例えば、図４に示されたように、突出部２１３は、導体１００の前端（＋ｙ軸方向の終端）からフラットケーブルの前方（＋ｙ軸方向）に所定の長さだけ長く突出するように構成され得る。
【００５４】
本発明のこのような構成によれば、ケーブル挿入部２１０がコネクタに誤挿入されても、突出部２１３によって導体１００とコネクタのリードとの接触を防止することができる。
【００５５】
望ましくは、本発明の一実施形態による突出部２１３は、導体１００の一端の延長線と突出部２１３の一端の延長線との間に所定の間隔Ｇが形成されるように、導体１００の一端から間隔Ｇだけ外側に突出するように構成される。例えば、図４に示されたように、導体１００の一端の延長線と突出部２１３の一端の延長線との間に所定の間隔Ｇが形成されるように、導体１００の一端から間隔Ｇだけ前方（＋ｙ軸方向）に突出するように構成され得る。ここで、導体１００の一端は、長手方向（＋ｙ軸方向）に向かう導体１００の一端を示し、突出部２１３の一端は、長手方向（＋ｙ軸方向）に向かう突出部２１３の一端を示す。すなわち、突出部２１３の前方（＋ｙ軸方向）に向かう一端は、導体１００の前方（＋ｙ軸方向）に向かう一端よりも所定の間隔Ｇだけ突出するように構成され得る。本発明のこのような構成によれば、コネクタのリードが導体１００の前方に接近しても、導体１００の前端にリードが接触することを防止することができる。
【００５６】
また、望ましくは、本発明によるケーブル挿入部２１０は、突出部２１３を複数個備える。例えば、本発明の一実施形態によるケーブル挿入部２１０は、図４に示されたように、二つの突出部２１３を備える。特に、二つ以上の突出部２１３は、幅方向（ｘ軸方向）で互いに所定の距離で離隔し得る。
【００５７】
本発明のこのような構成によれば、二つ以上の突出部２１３によって離隔状態を安定的に維持することができる。特に、フラットケーブルが傾いても、導体１００がリードに接触することを防止することができる。このとき、回路基板とフラットケーブルとの間の支持力を向上させ、また、フラットケーブル製造工程の便宜性を向上させることができる。
【００５８】
より望ましくは、本発明による突出部２１３は、ケーブル挿入部２１０の両端に位置するように構成される。特に、突出部２１３は、ケーブル挿入部２１０の前端部で幅方向の両端に位置し得る。例えば、図４に示されたように、突出部２１３は、ケーブル挿入部２１０の長手方向（＋ｙ軸方向）に向かう前端部（＋ｙ軸方向の端部）で、幅方向（図４のｘ軸方向）の両端に位置するように備えられ得る。
【００５９】
このような構成を通じて、本発明による突出部２１３は、導体１００の前方端面がコネクタのリードに接触しないように、所定の間隔Ｇを安定的に形成することができる。具体的に、本発明による突出部２１３は、ケーブル挿入部２１０の前端部で幅方向（ｘ軸方向）の両端に位置して、回路基板とケーブル挿入部２１０とを安定的に接触させることができる。ここで、前方端面とは、フラットケーブルの長手方向の前方（＋ｙ軸方向の前方）に形成された端面を意味する。
【００６０】
望ましくは、本発明による突出部２１３は、図４に示されたように、直方体状を有するように構成される。具体的に、突出部２１３は、直方体状を有するように構成され、前方端面（＋ｙ軸方向の端面）が扁平に構成される。また、突出部２１３の前方端面（＋ｙ軸方向の端面）はｘ軸と平行に構成される。
【００６１】
このような構成を通じて、本発明による突出部２１３は、突出部２１３の前方端面の面積を広くして、ケーブル挿入部２１０がコネクタに正確に挿入されない場合にも突出部２１３が回路基板と安定的に接触することで、導体１００の前方端面がコネクタのリードに接触しないように所定の間隔Ｇを安定的に形成することができる。
【００６２】
望ましくは、本発明によるケーブル挿入部２１０は、図４に示されたように、一つ以上の固定部２１５をさらに備える。固定部２１５は、ケーブル挿入部２１０の両側部から内側に凹設され得る。ここで、側部は、ケーブル挿入部２１０の幅方向（ｘ軸方向）の端部を示す。また、内側は、ケーブル挿入部２１０の両側部からケーブル挿入部２１０の内部に向かう方向を示す。
【００６３】
例えば、固定部２１５は、ケーブル挿入部２１０が挿入されるコネクタに対応する形状と大きさで形成され得る。例えば、図４に示されたように、固定部２１５は、四角形状でケーブル挿入部２１０の内側に凹設され得る。このような構成を通じて、ケーブル挿入部２１０をコネクタに挿入するとき、固定部２１５がコネクタに固定されることで、ケーブル挿入部２１０をコネクタに安定的に固定することができる。
【００６４】
図５は、本発明の他の実施形態によるフラットケーブルの構成を概略的に示した斜視図である。ただし、説明の便宜上、本実施形態では、上述した実施形態での説明が同様に適用される部分については詳細な説明を省略し、相違点を中心に説明する。
【００６５】
図５を参照すれば、本発明によるケーブル挿入部２１０は、突起２１７をさらに備える。突起２１７は、ケーブル挿入部２１０の上面に備えられる。例えば、ケーブル挿入部２１０の＋ｚ軸方向の上面に突起２１７が備えられ得る。ここで、突起２１７は、ケーブル挿入部２１０の上面から＋ｚ軸方向に突出した構成で備えられ得る。
【００６６】
望ましくは、突起２１７は、複数個が備えられる。例えば、図５に示されたように、突起２１７は、それぞれの突出部２１３に備えられ得る。また、突起２１７は、ケーブル挿入部２１０の両側部に備えられ得る。
【００６７】
また、突起２１７は、図５に示されたように、前方（＋ｙ軸方向）の表面は丸く構成され、後方（−ｙ軸方向）の表面は扁平に構成される。このような構成を通じて、突起２１７はフラットケーブルがコネクタに容易に締結できるようにする。また、フラットケーブルがコネクタに締結された後、フラットケーブルは突起２１７によってコネクタに容易に固定される。
【００６８】
図６は、本発明のさらに他の実施形態によるフラットケーブルの構成を概略的に示した斜視図である。また、図７は図６のａ−ａ'線に沿った断面図であり、図８は図６のｂ−ｂ'線に沿った断面図である。ただし、説明の便宜上、本実施形態では、上述した実施形態での説明が同様に適用される部分については詳細な説明を省略し、相違点を中心に説明する。
【００６９】
図６〜図８を参照すれば、本発明によるケーブル挿入部２１０は、補強部４００をさらに備える。補強部４００は、突出部２１３の少なくとも一部表面に備えられて突出部２１３の剛性を補強し、突出部２１３が曲がることを防止することができる。例えば、補強部４００は、図６及び図７に示されたように、突出部２１３の上面（＋ｚ軸方向の上面）に備えられ得る。本発明のこのような構成によれば、強い圧力によって突出部２１３が曲がっても、補強部４００がコネクタのリードと導体１００との接触を防止することができる。
【００７０】
特に、補強部４００は、突出部２１３だけでなく、導体１００及びケーブル本体の少なくとも一部表面にも備えられる。例えば、図６に示されたように、補強部４００は、ケーブル挿入部２１０の前端部、すなわち、図６を基準にしてケーブル挿入部の＋ｙ軸方向の端部で、左側部から右側部まで連続的に上面に備えられ得る。より具体的に、補強部４００は、突出部２１３の一端からケーブル挿入部２１０の長手方向（図６のｙ軸方向）に所定の長さＧ'だけケーブル挿入部２１０の一部表面に備えられ得る。また、補強部４００は、ケーブル挿入部２１０の一側から幅方向（ｘ軸方向）に他側に至るまで連続的に備えられ得る。ここで、突出部２１３とは、ケーブル本体２００の一端から所定の間隔Ｇに該当するケーブル本体２００の一部を意味する。
【００７１】
特に、補強部４００は、導体１００の少なくとも一部表面に備えられる。例えば、補強部４００は、図６及び図８に示されたように、導体１００の少なくとも一面に備えられ得る。この場合、補強部４００は、ケーブル本体２００の幅方向（ｘ軸方向）に長く延びた形態で構成され、複数の導体１００及びケーブル本体２００の一部表面に備えられ得る。
【００７２】
このような構成を通じて、本発明による補強部４００は、突出部２１３が曲がらないように突出部２１３の剛性を高めることができる。
【００７３】
望ましくは、本発明による補強部４００は、突出部２１３の剛性よりも高い剛性を有する材質から構成され得る。このような構成によれば、ケーブル挿入部２１０が柔軟な素材からなって可撓性及び屈曲性を有する場合であっても、突出部２１３の剛性を向上させることができる。
【００７４】
補強部４００は、ケーブル挿入部２１０に多様な形態で備えられ得る。
【００７５】
例えば、補強部４００は、少なくとも一表面に接着剤が塗布されたテープ形態で構成され、突出部２１３の少なくとも一部表面に貼り付けられ得る。この場合、補強部４００は、絶縁性材質からなり、このとき、テープ形態の補強部４００が突出部２１３の少なくとも一部表面に貼り付けられ得る。
【００７６】
本発明のこのような構成によれば、補強部４００がケーブル挿入部２１０の前端を幅方向で全体的に囲むようになり、このような形態の補強部４００をケーブル挿入部２１０に備えることでフラットケーブル製造の便宜性が提供される。
【００７７】
また、補強部４００は、突出部２１３の少なくとも一部にキャップ状に外嵌される形態で備えられ得る。これについては、図９及び図１０を参照してより具体的に説明する。
【００７８】
図９及び図１０は、本発明のさらに他の実施形態によるフラットケーブルに補強部が備えられる構成を概略的に示した斜視図である。
【００７９】
図９及び図１０を参照すれば、本発明の一実施形態による補強部４００は、突出部２１３の少なくとも一部に外嵌される形態で備えられ得る。この場合、補強部４００は絶縁性材質からなる。そして、補強部４００はキャップ状に構成され得る。このようなキャップ状の補強部４００は突出部２１３の一部に外嵌されて、突出部２１３の少なくとも一部表面に取り付けられる。
【００８０】
特に、補強部４００は、突出部２１３の少なくとも一部面を囲む形態で構成される。例えば、補強部４００には、突出部２１３を収容可能な形態の内部空間（中空）が形成され得る。そして、補強部４００は、このような内部空間に突出部２１３が挿入されるように、中空の少なくとも一側が開放されて構成され得る。この場合、補強部４００は、図９及び図１０に点線で示したように移動しながら、中空の開放された部分を通じて突出部２１３の少なくとも一部を囲む形態で覆い得る。換言すれば、突出部２１３は、補強部４００の開放された部分を通じて中空に挿入され得る。
【００８１】
より具体的に、まず、図９を参照すれば、本発明の一実施形態による補強部４００は、突出部２１３の露出した全面を囲む形状で構成されて突出部２１３に外嵌され得る。例えば、図９に示されたように、突出部２１３が直方体状で構成される場合、補強部４００は、直方体状の内部空間を有するキャップ形態で構成され、突出部２１３に外嵌され得る。ここで、突出部２１３の内部空間（中空）は、後端側（−ｙ軸方向）が開放されるように構成され得る。この場合、補強部４００は、図９に示されたように、ケーブル挿入部２１０の前方からケーブル挿入部２１０の方に移動して突出部２１３を囲む形態で構成される。一方、このような構成において、補強部４００は、突出部２１３の個数に対応するように複数個が備えられ得る。
【００８２】
図１０を参照すれば、本発明の一実施形態による補強部４００は、ケーブル挿入部２１０の側方からケーブル挿入部２１０の幅方向に移動して突出部２１３を囲む形態で構成される。この場合、補強部４００は、突出部２１３だけでなく、突出部２１３以外の他の部分も囲むように構成され得る。
【００８３】
特に、このような構成は、ケーブル挿入部２１０に固定部２１５が形成された場合により容易に適用できる。例えば、図１０に示されたように、ケーブル挿入部２１０の両側部から内側に凹設された複数の固定部２１５が備えられる場合、ケーブル挿入部２１０の前端に突出部２１３を含む直方体が形成される。すなわち、突出部２１３の一端から固定部２１５の一端に至る直方体が形成され得る。この場合、補強部４００は、直方体の一部面を囲む形態で構成され得る。この場合、補強部４００は、突出部２１３の少なくとも一部面を囲む形態に外嵌され得る。ここで、補強部４００は、着脱自在に構成され得る。
【００８４】
このような構成を通じて、本発明による補強部４００は、突出部２１３が曲がらないように突出部２１３の剛性を高めることができる。
【００８５】
外にも、補強部４００は、突出部２１３の少なくとも一部表面をコーティングする形態で備えられ得る。この場合、絶縁性材質からなるコーティング形態の補強部４００が突出部２１３の少なくとも一部表面にコーティングされ得る。
【００８６】
また、補強部４００は、突出部２１３の少なくとも一部表面の形質を変形させる形態で備えられ得る。この場合、補強部４００は、突出部２１３の表面に備えられて突出部２１３の形質を変形させることで、突出部２１３の剛性を高めることができる。例えば、補強部４００は、本発明の出願時点で公知の絶縁性素材または形質変形素材から構成され得る。
【００８７】
図１１は、本発明の一実施形態によるフラットケーブルがコネクタに誤挿入された状態でフラットケーブルの前端部と回路基板とが接触した構成を概略的に示した図である。ただし、説明の便宜上、本実施形態では、上述した実施形態での説明が同様に適用される部分については詳細な説明を省略し、相違点を中心に説明する。
【００８８】
図２及び図１１を参照すれば、本発明によるフラットケーブルがコネクタに誤挿入された場合、フラットケーブルの前端部が回路基板に接触し得る。この場合、本発明のフラットケーブルの前端部には突出部２１３が前方に突出して構成されているため、突出部２１３が回路基板５０に接触するようになる。そして、このように突出部２１３が回路基板５０に接触することで、突出部より凹んでいる導体の端部はリード５２と接触しなくなる。
【００８９】
望ましくは、突出部２１３は、突出高さが回路基板５０に連結されたリードの高さＨよりも高く形成される。ここで、リードの高さＨとは、回路基板の表面からリード５２の最も高い部分までの距離を意味する。
【００９０】
例えば、突出部２１３は、導体１００の一端からケーブル挿入部２１０の長手方向（図１０のｙ軸方向）に所定の間隔Ｇ、すなわち、突出高さだけ突出することができる。この場合、突出部２１３は、リード５２と導体１００とが接触しないように、リード５２の高さ、すなわち、回路基板５０の表面からリード５２までの高さＨよりも高く突出する。
【００９１】
より望ましくは、突出部２１３は、リード５２と導体１００との間が接触しなくても、リード５２と導体１００との間でスパークの発生など空気を通じた電気的接触が生じないようにする。すなわち、突出部２１３は、絶縁性が保障されるように、リード５２と導体１００との間に所定の間隔が形成されるように突出することができる。例えば、リード５２から導体１００までの距離は、０．１３ｍｍ以上であり得る。この場合、突出部２１３の突出間隔Ｇは、リードの高さＨと、リード５２から導体１００までの間に絶縁性が保障される距離（例えば、０．１３ｍｍ以上の距離）とを足した距離で具現され得る。
【００９２】
本発明によるフラットケーブルは、バッテリーパックに自体的に備えられる。すなわち、本発明によるバッテリーパックは、上述した本発明によるフラットケーブルを含むことができる。ここで、バッテリーパックは、一つ以上の二次電池を備えるセルアセンブリ、フラットケーブル、電装品（ＢＭＳ、リレー、ヒューズなど）及びケースなどを含み得る。このような構成において、本発明によるフラットケーブルは、セルアセンブリとＢＭＳとの間を電気的に連結することができる。また、フラットケーブルは、二次電池の電圧値、電流値または温度値などをＢＭＳに伝達することができる。ここで、二次電池とは、負極端子と正極端子を備え、物理的に分離可能な一つの独立したセルを意味する。一例として、一つのパウチ型リチウムポリマーセルが二次電池として見なされ得る
【００９３】
一方、本明細書における上、下、左、右、前、後のような方向を示した用語は、説明の便宜上使用されたものであるだけで、対象になる物の位置や観測者の位置などによって変り得ることは本発明の当業者に自明である。
【００９４】
以上のように、本発明を限定された実施形態と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【図１】
2020518109.tif 000003
【図２】
2020518109.tif 000004
【図３】
2020518109.tif 000005
【図４】
2020518109.tif 000006
【図５】
2020518109.tif 000007
【図６】
2020518109.tif 000008
【図７】
2020518109.tif 000009
【図８】
2020518109.tif 000010
【図９】
2020518109.tif 000011
【図１０】
2020518109.tif 000012
【図１１】
2020518109.tif 000013
【国際調査報告】
2020518109.tif 000014
2020518109.tif 000015
2020518109.tif 000016
2020518109.tif 000017